(57)【要約】      （修正有）【課題】既存の自動販売機の改造により容易に前面扉にモニターが取り付けられ、利用者に対して情報の表示が可能な構造であり、且つモニターの着脱が容易で、モニターの取り付け位置やモニターのサイズの変更も容易なモニターの取り付け構造を提供する。【解決手段】自動販売機の前面扉２に設けられた見本展示部２１において保持された商品見本３のうち少なくとも一つ以上の商品見本３を取り外すことによって空いたスペースにホルダーを設け、ホルダーによって着脱自在に保持された状態でモニター５を取り付ける。【選択図】図１
0003195140.tif 000002
【実用新案登録請求の範囲】
【請求項１】
自動販売機の利用者が視認し得るよう当該自動販売機の前面扉にモニターを取り付ける構造であって、
前面扉には、当該自動販売機で販売される各商品についての商品見本を展示した見本展示部が設けられており、
見本展示部は、透明な前面パネルと、前面パネルの内側で水平に延びる見本保持部とを有しており、
見本保持部は、見本保持部は、多数の商品見本を横にならべて保持するものであり、
見本保持部において保持された商品見本のうち少なくとも一つ以上又は二つ以上の商品見本（デジタル画像表示によるものを除く）を取り外し、取り外すことによって空いたスペースにホルダーを設け、ホルダーによって着脱自在に保持された状態でモニターを取り付けた構造であることを特徴とする自動販売機におけるモニターの取り付け構造。
【請求項２】
前記自動販売機は、筐体内に商品収容部及び商品払い出し機構を備えており、商品収容部は、所定数のカラムに区分された状態で商品を収容するものであり、商品払い出し機構は、商品収容部の各カラムから個々に商品を払い出すものであり、
前記見本保持部は、カラムの数よりも多い保持可能数の商品見本を保持することが可能となっており、
前記取り外される商品見本の数は、保持可能数からカラムの数を引いた数以下であることを特徴とする請求項１記載の自動販売機におけるモニターの取り付け構造。
【請求項３】
前記ホルダーは、前記商品見本部における商品見本の保持用の部位を覆うものであり当該部位が視認されないようにする形状及び大きさであることを特徴とする請求項１又は２記載の自動販売機におけるモニターの取り付け構造。
【請求項４】
前記見本保持部は、商品見本を保持するための孔又は凹部を有しており、前記ホルダーは、この孔又は凹部に嵌め込まれることで位置が固定されていることを特徴とする請求項１乃至３いずれかに記載の自動販売機におけるモニターの取り付け構造。
【請求項５】
前記見本保持部は、各商品見本の保持位置に対応した位置において商品に関するラベルを保持するラベル保持部を有しており、ラベル保持部は、ラベルを挟み込んで保持する部位であり、前記ホルダーは、取り外された前記商品見本の保持位置に対応した位置のラベル保持部に差し込まれる部位を有しており、当該部位がラベル保持部に差し込まれることで位置が固定されていることを特徴とする請求項１乃至４いずれかに記載の自動販売機におけるモニターの取り付け構造。
【請求項６】
前記見本保持部は、上側に見本を保持する棚板部を有しており、前記モニターのケーブルは、棚板部が有する孔に挿通されて棚板部の下側の空間を通って延びていることを特徴とする請求項１乃至５いずれかに記載の自動販売機におけるモニターの取り付け構造。
【請求項７】
前記ホルダーは、前記見本保持部に対して着脱自在に装着されていることを特徴とする請求項１乃至６いずれかに記載の自動販売機におけるモニターの取り付け構造。
【考案の詳細な説明】
【技術分野】
【０００１】
この出願の考案は、自動販売機に関する。
【背景技術】
【０００２】
現在、街頭や各種施設において清涼飲料等の自動販売機が設置され利用されている。これら自動販売機は、土地の所有者や施設の管理会社等から許可をもらい、業者（以下、自販機業者という）が設置している。自販機業者は、商品の製造会社やその系列の販売会社等（以下、販社系という）であって、自社の商品販売ルートとして自動販売機を設置する場合が多いものの、独立系の販売会社が自動販売機を購入し、各社から商品を仕入れて販売する場合もある。
自動販売機自体（機械自体）は、大手機械メーカーが製造、販売を行っている。各自販機業者は、機械メーカーから自動販売機を購入し、自社商品又は仕入れた商品を自動販売機に投入して販売している。
【先行技術文献】
【特許文献】
【０００３】
【特許文献１】特開２００３−１６２７６０号公報
【考案の概要】
【考案が解決しようとする課題】
【０００４】
販社系の自販機業者であれ、独立系の自販機業者であれ、売り上げを伸ばすには、自動販売機の設置台数を多くすることが何よりも重要である。しかしながら、街頭等には既に多くの自動販売機が設置されており、さらなる自動販売機の設置スペースを自販機業者が見つけることは困難な状況となっている。
また、各種施設においても、限られたスペースにおいて自動販売機を設置するには、それなりのインセンティブが必要である。勿論、自動販売機を設置すれば、商品の販売代金の一部はマージンとして自販機業者から施設側に支払われる。しかしながら、マージン自体は特にインセンティブにならない場合も多く、自販機業者としては施設側に別の何らかのインセンティブを与える必要が生じてきている。
【０００５】
自動販売機の設置を許可する施設や地主に対し、マージン以外のインセンティブが何か与えられないかと考えてみると、自動販売機の前面扉を情報の表示スペースとして利用してもらうことが考えられる。例えばショッピングセンターのような施設に自動販売機を設置してもらう場合、自動販売機の前面扉にディスプレイモニター（以下、単にモニターという）を設け、モニターにショッピングセンター内の各店舗の情報が表示されるようにすることが考えられる。また、会社の営業所やオフィスのような事業所施設の場合、休憩コーナー等に設置した自動販売機の前面扉上にモニターを設け、会社内の各種情報を表示することが考えられる。このような情報表示に兼用できることは、自動販売機の設置を許可する際の大きなインセンティブになるものと考えられる。
【０００６】
しかしながら、このような目的のモニターを備えた自動販売機は機械メーカーからは販売されていない。現在使用されている自動販売機には、液晶モニター等のモニターを前面扉に備えたものも多いが、販売する商品の説明用（商品見本のデジタル表示用）であり、自動販売機の設置許可者のような第三者の情報を表示するものとはなっていない。従って、機械メーカーから購入した自動販売機を自販機業者において改造し、新たにモニターを前面扉に取り付ける必要がある。
【０００７】
尚、鉄道等の駅の構内に設置されている大型の自動販売機では、前面扉の上側半分全体がモニターとなっており、デジタル画像として商品見本の画像が表示されるようになっている。この種の自動販売機は、大型のモニターを搭載しているために構造が大がかりで機械の価格自体も非常に高いという欠点がある。また、モニターに表示される情報が表品見本の表示以外の情報となるように自販機業者において改造することは難しく、上記目的で使用ことは現実的とはいえない。
【０００８】
既存の一般的な自動販売機を改造して前面扉にモニターを設ける場合でも、あまり改造が大がかりになるとコスト上の問題が生じる。また、自動販売機における第三者の情報の必要性の状況も様々であり、その時々に応じて柔軟に変更できる構造であることが望ましい。
この出願の考案は、このような点を考慮して為されたものであり、自動販売機におけるモニターの取り付け構造であって、既存の自動販売機の改造により容易に前面扉にモニターが取り付けられ、利用者に対して情報の表示が可能な構造であり、且つモニターの着脱が容易で、モニターの取り付け位置やモニターのサイズの変更も容易な取り付け構造を提供することを解決課題とするものである。
【課題を解決するための手段】
【０００９】
上記課題を解決するため、この出願の請求項１記載の考案は、自動販売機の利用者が視認し得るよう当該自動販売機の前面扉にモニターを取り付ける構造であって、
前面扉には、当該自動販売機で販売される各商品についての商品見本を展示した見本展示部が設けられており、
見本展示部は、透明な前面パネルと、前面パネルの内側で水平に延びる見本保持部とを有しており、
見本保持部は、多数の商品見本を横にならべて保持するものであり、
見本保持部において保持された商品見本のうち少なくとも一つ以上又は二つ以上の商品見本（デジタル画像表示によるものを除く）を取り外し、取り外すことによって空いたスペースにホルダーを設け、ホルダーによって着脱自在に保持された状態でモニターを取り付けた構造であるという構成を有する。
また、上記課題を解決するため、請求項２記載の考案は、前記請求項１の構成において、前記自動販売機は、筐体内に商品収容部及び商品払い出し機構を備えており、商品収容部は、所定数のカラムに区分された状態で商品を収容するものであり、商品払い出し機構は、商品収容部の各カラムから個々に商品を払い出すものであり、
前記見本保持部は、カラムの数よりも多い保持可能数の商品見本を保持することが可能となっており、
前記取り外される商品見本の数は、保持可能数からカラムの数を引いた数以下であるという構成を有する。
また、上記課題を解決するため、請求項３記載の考案は、前記請求項１又は２の構成において、前記ホルダーは、前記商品見本部における商品見本の保持用の部位を覆うものであり当該部位が視認されないようにする形状及び大きさであるという構成を有する。
また、上記課題を解決するため、請求項４記載の考案は、前記請求項１乃至３いずれかの構成において、前記見本保持部は、商品見本を保持するための孔又は凹部を有しており、前記ホルダーは、この孔又は凹部に嵌め込まれることで位置が固定されているという構成を有する。
また、上記課題を解決するため、請求項５記載の考案は、前記請求項１乃至４いずれかの構成において、前記見本保持部は、各商品見本の保持位置に対応した位置において商品に関するラベルを保持するラベル保持部を有しており、ラベル保持部は、ラベルを挟み込んで保持する部位であり、前記ホルダーは、取り外された前記商品見本の保持位置に対応した位置のラベル保持部に差し込まれる部位を有しており、当該部位がラベル保持部に差し込まれることで位置が固定されているという構成を有する。
また、上記課題を解決するため、請求項６記載の考案は、前記請求項１乃至５いずれかの構成において、前記見本保持部は、上側に見本を保持する棚板部を有しており、前記モニターのケーブルは、棚板部が有する孔に挿通されて棚板部の下側の空間を通って延びているという構成を有する。
また、上記課題を解決するため、請求項７記載の考案は、前記請求項１乃至６いずれかの構成において、前記ホルダーは、前記見本保持部に対して着脱自在に装着されているという構成を有する。
【考案の効果】
【００１０】
以下に説明する通り、本願の請求項１記載の考案によれば、モニターは自動販売機の前面扉の見本展示部に取り付けられるので、より目につき易いものとなる。このため、各利用形態におけるモニターの利用価値がより高くなる。また、商品見本を取り外して空いたスペースを利用してモニターを取り付けるので、見本展示部を大きく改造したり設計変更したりする必要がなく、簡便である。さらに、商品見本を取り外すことによって空いたスペースにホルダーを設け、ホルダーによって着脱自在に保持された状態でモニターを取り付けるので、モニターが不要になった際には元の状態に迅速に戻すことができ、この点でも実用性が高い。
また、請求項２記載の考案によれば、上記効果に加え、取り外される商品見本の数は、保持可能数からカラムの数を引いた数以下であるので、見本展示される銘柄数は減少せず、販売上は何ら問題がないという効果が得られる。
また、請求項３記載の考案によれば、上記効果に加え、商品見本部における商品見本の保持用の部位がホルダーによって覆われて視認されないので、商品見本を取り外したことにより見栄えが悪くなるという問題が回避される。
また、請求項４記載の考案によれば、上記効果に加え、ホルダーの位置が固定されるので、前面扉の開閉等の際にホルダーがずれてしまってモニターの位置が変わってしまう問題がない。そして、ホルダーの位置の固定は、商品見本の保持構造を利用しているので、ホルダーの着脱が容易であり、ホルダーを取り外した後に商品見本の保持状態に戻すが容易に行える。
また、請求項５記載の考案によれば、上記効果に加え、ホルダーの位置が固定されるので、前面扉の開閉等の際にホルダーがずれてしまってモニターの位置が変わってしまう問題がない。そして、ホルダーの位置の固定は、ラベルの保持構造を利用しているので、ホルダーの着脱が容易であり、ホルダーを取り外した後にラベルの保持状態に戻すが容易に行える。
また、請求項６記載の考案によれば、上記効果に加え、モニターのケーブルが棚板部の下側の空間を通って延びる構造であるので、商品見本の背後に位置する部材に孔を開ける必要がなく、この点で見栄えが悪くならない。
また、請求項７記載の考案によれば、上記効果に加え、ホルダーが見本保持部に対して着脱自在に装着されているので、ホルダーを商品見本の保持に兼用できるものにしておく必要はなく、また商品見本の保持状態に戻した際にホルダーが視認されるために見栄えが悪くなってしまうという問題がない。
【図面の簡単な説明】
【００１１】
【図１】実施形態の構造を有する自動販売機の斜視概略図である。
【図２】図１に示す自動販売機において前面扉を開けた状態を示した斜視概略図である。
【図３】実施形態のモニター取り付け構造を説明するための斜視概略図であり、見本保持部全体の概略構造を示した斜視概略図である。
【図４】実施形態のモニター取り付け構造を説明するための斜視概略図であり、商品見本の保持構造の例について示した斜視概略図である。
【図５】実施形態のモニター取り付け構造を説明するための斜視概略図であり、ホルダーの装着構造について示した斜視概略図である。
【考案を実施するための形態】
【００１２】
次に、この出願の考案を実施するための形態（以下、実施形態）について説明する。
図１は、実施形態の構造を有する自動販売機の斜視概略図である。この実施形態では、自動販売機は、清涼飲料の自動販売機となっている。図１に示すように、自動販売機は、筐体１と、筐体１の前面に設けられた前面扉２とを備えている。図２は、図１に示す自動販売機において前面扉２を開けた状態を示した斜視概略図である。
【００１３】
図１に示すように、前面扉２には、自動販売機で販売される各商品についての商品見本３を展示した見本展示部２１が設けられている。この他、前面扉２には、購入する商品を選択する各商品選択ボタン２２、購入のための硬貨や紙幣を投入する金銭投入部口２３、購入した商品を取り出す商品取り出し口２４、釣り銭払い出し口２５などが設けられている。
【００１４】
また、図２に示すように、筐体１内には、商品である清涼飲料を収容した商品収容部１１が設けられ、商品収容部１１から商品を商品取り出し口２４に払い出す商品払い出し機構１２が設けられている。
筐体１１内には、自動販売機１の動作を制御する主制御部４が設けられている。図２に示すように、主制御部４は、前面扉２の裏面に取り付けられている。また、前面扉２の裏面には、金銭投入口２３から投入された金銭の真正さを判断したり、合計の金額を算出したりする不図示の金銭判断部（コインメック、ビルバリ）が設けられている。
【００１５】
主制御部４は、プロセッサや記憶部（メモリ）等を備え、金銭判断部から送信される信号に従い、金銭投入口２３で投入された金銭が規定の金額に達しているかどうかを判断し、規定の金額に達している場合、商品払い出し機構１２に駆動信号を送るものである。これら要素の構成は、通常の自動販売機と同様であるので、詳細な説明及び図示は省略する。
【００１６】
尚、商品収容部１１は、カラムと呼ばれる領域に区画されており、各カラムに商品を収容するものとなっている。商品払い出し機構１２は、各カラムから個々に商品を払い出す機構となっている。カラムは、異なる種類の商品を販売するためのものであり、従って、各カラムは各商品選択ボタンに対応している。主制御部４は、押された商品選択ボタンに対応するカラムから商品を払い出すよう商品払い出し機構１２に信号を送るものとなっている。
【００１７】
次に、実施形態のモニター取り付け構造について、図３〜図５を使用してより詳しく説明する。図３〜図５は、実施形態のモニター取り付け構造を説明するための斜視概略図であり、図３は、見本保持部全体の概略構造を示した斜視概略図、図４は商品見本の保持構造の例について示した斜視概略図、図５はモニターの取り付け構造を示した斜視概略図である。
【００１８】
実施形態において、モニター５は、図１に示すように見本展示部２１に取り付けられる。まず、見本展示部２１の全体構造について、図３を使用して説明する。図３に示すように、見本展示部２１は、水平に延びる見本保持部２６を有している。
図３に示すように、前面扉２を開いた状態にすると、前面扉２は、見本展示部２１と扉本体２０１とに分離できるようになっている。見本保持部２１及び扉本体２０１は、筐体１の側部に設けられた不図示の蝶番により開閉される構造となっている。尚、扉本体２０１の上半分の領域には、透明な前面パネル２０２が設けられており、透明パネル２０２を通して各商品見本３が視認されるようになっている。尚、図３において図示を省略したが、各商品選択ボタン２２は、前面パネル２０２に取り付けられている。
【００１９】
見本保持部２６は、この実施形態では、水平方向に延びる棚状の部位となっている。図１及び図３に示すように、この実施形態では、上下に三つ（三段）の見本保持部２６が設けられている。尚、図１では概略的に示されているが、実施形態の自動販売機は、各段の見本保持部２６において１２個の商品見本３を保持できるようになっており、計３６個の商品見本３を保持できるようになっている。
【００２０】
図３において、各見本保持部２６の構造の理解のため、商品見本をすべて取り外した状態が描かれている。この実施形態では、見本保持部２６は、保持フック２７により商品見本を保持するか、保持孔２６０に商品見本３を差し込んで保持するものとなっている。
具体的に説明すると、図３及び図４に示すように、各商品保持具２６は棚状の部位であり、水平な棚板部２６１と、背面板部２６２とを有している。棚板部２６１には、商品見本を保持する位置に円形の開口（以下、保持孔２６０という）を有している。また、各保持孔２６０が設けられた箇所の背面板部２６２には、保持フック２７を引っ掛けるための板バネ部２６３が形成されている。板バネ部２６３は、背面板部２６２に対して上端から垂直に延びる切り込みを設けることで形成されており、切り込みで挟まれた中央の部位が板バネ部２６３となっている。
【００２１】
図４を使用して、商品見本３の保持構造をより具体的に説明する。この実施形態では、商品は清涼飲料であるので、商品見本３としては、通常、清涼飲料の容器（内容物の無いもの）か、商品そのものが使用される。容器が使用される場合、省スペース化のため、半分に切断したものが使用されることもある。商品見本３として容器全体又は商品自体が使用される場合には保持フック２７で保持される場合が多く、商品見本３として半分に切断した容器を使用する場合、保持孔２６０に差し込んで保持する場合が多い。
【００２２】
図４に示すように、保持フック２７は、円弧状に丸められた帯状の部材である。保持フック２７は、中央部分を板バネ部２６３の裏側に差し込みながら両側の切り込み内に挿入することで板バネ部２６３に取り付けられるようになっている。尚、図３から解るように、板バネ部２６３の背後は見本展示部２１の前面板となっており、保持フック２７は板バネ部２６３と前面板との間に挟み込まれ、板バネ部２６３の弾性により保持される。
【００２３】
保持フック２７も板バネとなっており、定常状態では、保持する商品見本３の外径よりも少し小さい径となっている。商品見本３を保持する場合、保持フック２７を少し押し広げながら商品見本３を差し込み、弾性によって保持フック２７に商品見本３を保持させる。
また、保持孔２６０は円形となっており、その径は、保持する商品見本３の外径に適合したものとなっている。商品見本３の下端部を保持孔２６０に差し込むことで、商品見本３は保持孔２６０に保持される。
【００２４】
次に、図５を使用してモニター５の取り付けについて説明する。モニター５を取り付ける場合、いずれかの見本保持部２６において幾つかの保持孔２６０から商品見本３を取り外す。保持フック２７が使用されている場合、保持フック２７も板バネ部２６３から取り外す。取り外す商品見本３の数は、取り付けるモニター５のサイズに応じたものであり、例えば１０〜１２インチ程度のモニター５であれば、隣り合う三つから四つ程度の商品見本３を取り外す。取り外す位置は、モニター５を取り付ける位置であり、任意であるが、例えば中央の段の中央の位置とされる。
【００２５】
そして、商品見本３を取り外すことによって空いたスペースには、図５に示すようにホルダー６が設けられる。ホルダー６は、各種構成のものを採用し得るが、この実施形態では、屈曲したプレート状の部材となっている。ホルダー６は、底板部６１と、背板部６２と、前板部６３とから成る部材である。
モニター５は、ホルダー６の底板部６１の上に載置された状態で保持される。ホルダー６におけるモニター５の保持構造についても各種のものが採用できる。例えば、左右に設けたフック状の枠部により保持したり、モニター５の脚部５１においてホルダー６にネジ止めしたりする構造を採用することができる。図５の例では、摩擦力により保持する構造となっている。即ち、モニター５は脚部５１を有し、脚部５１の裏面（下面）には不図示の滑り止めが設けられている。このため、ホルダー５の底板部６１の上に載置されることのみで、位置が固定されるようになっている。
【００２６】
尚、前面扉２の開閉の際にホルダー６がずれないようにホルダー６は見本保持部２６に装着されている。装着は、着脱自在のものとなっている。即ち、この実施形態では、ホルダー６を着脱自在とすることで、ホルダー６に保持されたモニターを前面扉２に対して着脱自在としている。このホルダー６の着脱自在の装着の一例が、図５に示されている。この例は、三つの商品見本３を取り外してホルダー６を装着する例となっている。
図３及び図４において図示を省略したが、図５に示すように、見本保持部２６の前面には、折り返し部２８が形成されている。棚板部２６１の前縁は下方に折れ曲がっており、さらに折り返し部２８が形成されて上方に折れ曲がっている。折り返し部２８は、金額ラベルのような各商品に関するラベルを差し込んで保持するための部位となっている。
実施形態では、ホルダー６は、底板部６１の前縁から下方に延びて形成された前板部６３を有する。ホルダー６が装着された際、折り返し部２８に前板部６３が差し込まれる。これにより、前後方向でのホルダー６の位置ずれが防止される。
【００２７】
また、図５に破線で示すように、底板部６１の下面には、複数の突起６４が形成されている。突起６４は四つ設けられており、中央の二つの突起６４の離間間隔は、保持孔２６０の径より僅かに短いものとなっている。中央の二つの突起６４のうちの左側の突起６４と四つのうち最も左側に位置する突起６４との離間間隔は、隣り合う保持孔２６０の離間間隔よりも僅かに短いものとなっている。同様に、中央の二つの突起６４のうちの右側の突起６４と四つのうち最も右側に位置する突起６４との離間間隔は、保持孔２６０の離間間隔よりも僅かに短いものとなっている。ホルダー６が装着された際、中央の二つの突起２６４は、三つ並んだ保持孔２６０のうちの中央の保持孔２６０内に差し込まれ、左右の縁に当接する。その両側の突起２６４は、両側の保持孔２６０に差し込まれ、中央よりの縁に当接する。これにより、ホルダー６の横方向の位置ズレが防止される。尚、突起６４は、若干弾性を有する状態で形成されており、各保持孔２６０の縁に対して弾性を作用させながら接触している。このため、ホルダー６の位置ずれがより防止されるようになっている。
【００２８】
尚、モニター５からは不図示の電源ケーブルが延びているが、ホルダー６の底板部６１には孔（以下、ケーブル用孔）６０が形成されている。ケーブル用孔６０は、上記のようにホルダー６が装着された際、保持孔２６０を臨む位置に設けられている。「臨む位置」とは、ケール部用孔６０の一部又は全部が保持孔２６０に対して上下に重なる位置ということである。電源ケーブルは、ケーブル用孔６０に通された後、保持孔２６０に挿通され、筐体１内に設けられた不図示の電源タップに接続されている。
【００２９】
また、ホルダー６は、見本保持部２６と同様の材質及び色であり、樹脂製の白色のものとなっている。そして、図５に示すように、ホルダー６は、商品見本３が取り外された箇所の見本保持用の部位（この例では保持孔２６０や板バネ部２６３）を覆う形状及び大きさとなっている。このため、モニター５を取り付けた際には、見本保持用の部位は視認されない。商品見本３を取り外しただけであると、商品見本３の見本保持用の部位が視認されるため、見栄えが悪いが、実施形態ではホルダー６により覆われるため、この問題は生じない。そして、ホルダー６は見本保持部２６と同じ色であるため、ホルダー６は全体に目立たず、違和感はない。
【００３０】
このような実施形態のモニター５の取り付け構造においては、幾つかの商品見本３を取り外してモニター５の取り付けスペースとするため、展示可能な商品見本３の数と商品収容部１１におけるカラム数との関係を考慮すると好適である。以下、この点について説明する。
前述したように、カラム数は、独立して払い出しができる数であり、販売できる商品の銘柄数に相当している。従って、カラム数は商品見本３の展示可能数（以下、見本展示可能数）に一致すべきであるが、実際は、カラム数はスペース上の問題から制限があり、見本展示可能数の方が多い場合もある。
【００３１】
見本展示可能数の方がカラム数より多い場合、見本展示部２１では、同じ銘柄の商品見本３が展示されることになる。通常、販売数の多い銘柄の商品（人気のある商品）について同じ商品見本３を複数展示する。そして、それら商品見本３の下側のいずれの商品ボタンを押しても同じ銘柄の商品が払い出されるようになっている。このような構成の場合、見本展示可能数−カラム数の数以下の商品見本３を取り外し、その空いたスペースにモニター５を取り付けると好適である。即ち、複数の商品見本３を展示していたのを例えば一つのみとし、その空いたスペースを利用するようにすれば、見本展示される銘柄数は減少せず、販売上は何ら問題がない。
【００３２】
見本展示可能数＝カラム数である自動販売機の場合や、見本展示可能数−カラム数の数より多い数の商品見本３を取り外す場合、商品収容部１１に収容できる商品の銘柄数に比べて商品見本３の数が少なくなる。この場合、商品見本３を取り外した箇所の下側の商品選択ボタンに対応するカラムには商品は収容されず、当該商品選択ボタンには「品切れ」の表示ランプが点灯される。尚、見本展示可能数＞カラム数である場合もこの点は同様で、商品見本３を取り外した箇所の下側の商品選択ボタンについては、商品が何であるから不明なので、「品切れ」の表示ランプが点灯するようにされる。
【００３３】
上記のような構造により取り付けたモニター５は、後付けのモニターであるため、自動販売機における商品の販売には必ずしも関連せずに自由に使用することができる。例えば、前述したように自動販売機がショッピングセンターのような商業施設に設置される場合、当該施設内の各店舗の宣伝用の動画を再生して表示することができる。さらに、公共施設のような場所では、施設の案内図や利用方法等を表示するのに利用することもできる。
また、企業のオフィスや営業所、工場等に設置される場合、当該企業内の情報、例えば社内ニュースや社長の訓示といった情報を静止画又は動画として再生することで表示することができる。
【００３４】
尚、上述したようなモニター５の各利用形態において、モニター５としては、例えば動画再生可能なデジタルフォトフレームとして市販されているものを好適に利用することができる。表示される静止画や動画は、モニター５に内蔵される記憶部（メモリ）に予め記憶された上で、モニター５が前面扉に取り付けられる。
この他、モニター５は、コンピュータの周辺装置又はコンピュータの一部であり得る。例えば、モニター５としてタブレットＰＣが採用され、タブレットＰＣがホルダー６によって保持される場合もある。また、タブレットＰＣ又はノートＰＣ等のＰＣ本体が筐体内に設けられ、その周辺装置としてモニター５が前面扉に取り付けられる場合もある。さらには、モニター５は、テレビ視聴が可能なものであっても良く、またＤＶＤ再生機のような動画再生専用機の一部である場合もあり得る。
【００３５】
そして、実施形態の取り付け構造では、モニター５は自動販売機の前面扉２の見本展示部２１に取り付けられるので、より目につき易いものとなる。即ち、自動販売機の利用者は、まず見本展示部２１内の商品見本３を見て購入商品を決める。従って、見本展示部２１のモニター５は、より目につき易くなり、上記各利用形態におけるモニターの利用価値がより高くなる。
【００３６】
また、実施形態の取り付け構造では、商品見本３を取り外して空いたスペースを利用してモニター５を取り付けるので、見本展示部２１を大きく改造したり設計変更したりする必要がなく、簡便である。さらに、商品見本を取り外すことによって空いたスペースにホルダー６を設け、ホルダー６によって着脱自在に保持された状態でモニター５を取り付けるので、モニター５が不要になった際には元の状態に迅速に戻すことができ、この点でも実用性が高い。
また、サイズの異なるモニター５を取り付ける場合、それに応じて取り外す商品見本３の数を変更するだけで良いし、異なる位置にモニター５を取り付ける場合、商品見本３を取り外す箇所を変更するだけでよく、極めて簡便である。尚、上記説明では、三つから四つの商品見本３を取り外す例を示したが、小型のモニターを縦置きする場合には、１個のみ又は２個のみ商品見本３を取り外すだけで良い場合もあるし、取り外す商品見本３が大きいも同様である。従って、少なくとも一つ以上又は二つ以上の商品見本３を取り外すということになる。
【００３７】
さらに、実施形態の構造では、ホルダー６の位置が固定されるので、前面扉２の開閉等の際にホルダー６がずれてしまってモニター５の位置が変わってしまう問題がない。そして、ホルダー６の位置の固定は、上記の通り商品見本３の保持構造やラベルの保持構造を利用しているので、ホルダー６の着脱が容易であり、ホルダー６を取り外した後に元の商品見本３やラベルの保持状態に戻すのも容易に行える。
【００３８】
また、実施形態の構造では、モニター５のケーブルを通すケーブル用孔６０がホルダー６の底板部６１に設けられており、見本保持部２６の棚板部２６１の下側を通して配線する構造となっている。棚板部２６１の下側には、照明用の蛍光灯等が配設される場合も多いが、隠した状態（視認されない状態）で配設するのが容易である。モニター５のケーブルの挿通用の開口としては、モニター５の背後に位置する部材（この例では背面板２６２及び見本展示部２の前面板）に孔を開ける構造でも良いが、このようにすると、モニター５を取り外して商品見本３の保持状態に戻した際、その孔が斜めから容易に視認される状態になる可能性が高い。これを回避するには、その孔を埋めて目立たなくする必要があり、面倒である。実施形態の構造では、このような問題はない。
【００３９】
上記実施形態において、取り付けるモニター５の数は１台のみであったが、２台以上のモニター５を取り付ける場合もあり得る。この場合、見本展示部２１において複数箇所で商品見本３を取り外し、各々空いたスペースにモニター５を取り付けることになる。
また、見本展示部２１は複数段の見本保持部２６より成るものであったが、サイズの大きいモニター５を取り付ける場合、見本保持部２６の上下の段にまたがって商品見本３が取り外され、その空いたスペースにモニター５が取り付けられる場合もある。
【００４０】
尚、上記実施形態では、ホルダー６は、モニター５を載置して保持するものであったが、磁石により保持する構造（即ち、ホルダー６が磁石である構造）が採用されることもある。例えば、見本保持部２６の背面板部２６２に取り付けることができるプレートに磁石を固定しておき、モニター５の背面にも金属又は極性の異なる磁石を固定しておく。そして、磁石でプレートにモニター５を保持させ、モニター５の位置ズレがないようにする。
【００４１】
また、見本保持部２６における商品見本３の保持構造は、上記以外にも各種のものがあり得る。例えば、見本保持部２６としては、商品見本３の底部形状に適合した断面形状の凹部が棚板部に設けられたものであっても良い。この場合、商品見本３は、必要に応じてアダプタ等を嵌め込みながら凹部に差し込まれることで保持される。ホルダー６は、この凹部に嵌り込む凸部を下面に有する形状とすることができる。この場合、ケーブルを通すための孔は、棚板部の凹部の底面又は側面に設けることができ、その場合でも、その孔は、商品見本３の保持状態に戻した際、商品見本３によって隠れた状態になるので、見栄えが悪くなることはない。
【００４２】
尚、上記実施形態では、ホルダー６が見本保持部２６に対して着脱自在であるので、モニター５はホルダー６に対して着脱自在ではなく完全に固定されていても良い。また、ホルダー６が見本保持部２６に対して完全に固定されていてこれに対してモニター５が着脱自在である構成もあり得る。この場合、モニター５を取り外した際にホルダー６は残るので、ホルダー６が商品見本３の保持に兼用できるものである必要がある。例えば、ホルダー６の背板部６２に、前述した板バネ部２６３と同様のものを形成することが考えられる。但し、この場合、ホルダー６が視認され、他の商品見本３の保持箇所とは視認状態が異なるので、見栄えが悪くなる恐れがある。このような問題がない点で、ホルダー６が着脱自在である構成の方が好ましい。
【００４３】
また、上述した実施形態では、自動販売機は清涼飲料の自動販売機であったが、他の自動販売機例えばタバコの自動販売機や各種食品の自動販売機等においても、同様の構造を採用することができる。
【符号の説明】
【００４４】
１  筐体
１１  商品収容部
１２  商品払い出し機構
２  前面扉
２０１  扉本体
２１  見本展示部
２２  商品選択ボタン
２３  金銭投入部
２４  商品取り出し口
２５  釣り銭払い出し口
２６  見本保持部
２６１  棚板部
２６２  背面板部
２６３  板バネ部
２７  保持フック
３  商品見本
４  主制御部
５  モニター
６  ホルダー
６１  底板部
６２  背板部
６３  前面板
６４  突起
【図１】
0003195140.tif 000003
【図２】
0003195140.tif 000004
【図３】
0003195140.tif 000005
【図４】
0003195140.tif 000006
【図５】
0003195140.tif 000007
【手続補正書】
【提出日】平成26年10月27日(2014.10.27)
【手続補正１】
【補正対象書類名】実用新案登録請求の範囲
【補正対象項目名】全文
【補正方法】変更
【補正の内容】
【実用新案登録請求の範囲】
【請求項１】
自動販売機の利用者が視認し得るよう当該自動販売機の前面扉にモニターを取り付ける構造であって、 
前面扉には、当該自動販売機で販売される各商品についての商品見本を展示した見本展示部が設けられており、 
見本展示部は、透明な前面パネルと、前面パネルの内側で水平に延びる見本保持部とを有しており、 
見本保持部は、多数の商品見本を横にならべて保持するものであり、 
見本保持部において保持された商品見本のうち少なくとも一つ以上の商品見本を取り外し、取り外すことによって空いたスペースにホルダーを設け、ホルダーによって着脱自在に保持された状態でモニターを取り付けた構造であることを特徴とする自動販売機におけるモニターの取り付け構造。 
【請求項２】
前記自動販売機は、筐体内に商品収容部及び商品払い出し機構を備えており、商品収容部は、所定数のカラムに区分された状態で商品を収容するものであり、商品払い出し機構は、商品収容部の各カラムから個々に商品を払い出すものであり、 
前記見本保持部は、カラムの数よりも多い保持可能数の商品見本を保持することが可能となっており、 
前記取り外される商品見本の数は、保持可能数からカラムの数を引いた数以下であることを特徴とする請求項１記載の自動販売機におけるモニターの取り付け構造。 
【請求項３】
前記ホルダーは、前記見本保持部における商品見本の保持用の部位を覆うものであり当該部位が視認されないようにする形状及び大きさであることを特徴とする請求項１又は２記載の自動販売機におけるモニターの取り付け構造。 
【請求項４】
前記見本保持部は、商品見本を保持するための孔又は凹部を有しており、前記ホルダーは、この孔又は凹部に嵌め込まれることで位置が固定されていることを特徴とする請求項１乃至３いずれかに記載の自動販売機におけるモニターの取り付け構造。 
【請求項５】
前記見本保持部は、各商品見本の保持位置に対応した位置において商品に関するラベルを保持するラベル保持部を有しており、ラベル保持部は、ラベルを挟み込んで保持する部位であり、前記ホルダーは、取り外された前記商品見本の保持位置に対応した位置のラベル保持部に差し込まれる部位を有しており、当該部位がラベル保持部に差し込まれることで位置が固定されていることを特徴とする請求項１乃至４いずれかに記載の自動販売機におけるモニターの取り付け構造。 
【請求項６】
前記見本保持部は、上側に見本を保持する棚板部を有しており、前記モニターのケーブルは、棚板部が有する孔に挿通されて棚板部の下側の空間を通って延びていることを特徴とする請求項１乃至５いずれかに記載の自動販売機におけるモニターの取り付け構造。 
【請求項７】
前記ホルダーは、前記見本保持部に対して着脱自在に装着されていることを特徴とする請求項１乃至６いずれかに記載の自動販売機におけるモニターの取り付け構造。 
【手続補正２】
【補正対象書類名】明細書
【補正対象項目名】０００９
【補正方法】変更
【補正の内容】
【０００９】
上記課題を解決するため、この出願の請求項１記載の考案は、自動販売機の利用者が視認し得るよう当該自動販売機の前面扉にモニターを取り付ける構造であって、
前面扉には、当該自動販売機で販売される各商品についての商品見本を展示した見本展示部が設けられており、
見本展示部は、透明な前面パネルと、前面パネルの内側で水平に延びる見本保持部とを有しており、
見本保持部は、多数の商品見本を横にならべて保持するものであり、
見本保持部において保持された商品見本のうち少なくとも一つ以上の商品見本を取り外し、取り外すことによって空いたスペースにホルダーを設け、ホルダーによって着脱自在に保持された状態でモニターを取り付けた構造であるという構成を有する。
また、上記課題を解決するため、請求項２記載の考案は、前記請求項１の構成において、前記自動販売機は、筐体内に商品収容部及び商品払い出し機構を備えており、商品収容部は、所定数のカラムに区分された状態で商品を収容するものであり、商品払い出し機構は、商品収容部の各カラムから個々に商品を払い出すものであり、
前記見本保持部は、カラムの数よりも多い保持可能数の商品見本を保持することが可能となっており、
前記取り外される商品見本の数は、保持可能数からカラムの数を引いた数以下であるという構成を有する。
また、上記課題を解決するため、請求項３記載の考案は、前記請求項１又は２の構成において、前記ホルダーは、前記見本保持部における商品見本の保持用の部位を覆うものであり当該部位が視認されないようにする形状及び大きさであるという構成を有する。
また、上記課題を解決するため、請求項４記載の考案は、前記請求項１乃至３いずれかの構成において、前記見本保持部は、商品見本を保持するための孔又は凹部を有しており、前記ホルダーは、この孔又は凹部に嵌め込まれることで位置が固定されているという構成を有する。
また、上記課題を解決するため、請求項５記載の考案は、前記請求項１乃至４いずれかの構成において、前記見本保持部は、各商品見本の保持位置に対応した位置において商品に関するラベルを保持するラベル保持部を有しており、ラベル保持部は、ラベルを挟み込んで保持する部位であり、前記ホルダーは、取り外された前記商品見本の保持位置に対応した位置のラベル保持部に差し込まれる部位を有しており、当該部位がラベル保持部に差し込まれることで位置が固定されているという構成を有する。
また、上記課題を解決するため、請求項６記載の考案は、前記請求項１乃至５いずれかの構成において、前記見本保持部は、上側に見本を保持する棚板部を有しており、前記モニターのケーブルは、棚板部が有する孔に挿通されて棚板部の下側の空間を通って延びているという構成を有する。
また、上記課題を解決するため、請求項７記載の考案は、前記請求項１乃至６いずれかの構成において、前記ホルダーは、前記見本保持部に対して着脱自在に装着されているという構成を有する。
【手続補正３】
【補正対象書類名】明細書
【補正対象項目名】００１０
【補正方法】変更
【補正の内容】
【００１０】
以下に説明する通り、本願の請求項１記載の考案によれば、モニターは自動販売機の前面扉の見本展示部に取り付けられるので、より目につき易いものとなる。このため、各利用形態におけるモニターの利用価値がより高くなる。また、商品見本を取り外して空いたスペースを利用してモニターを取り付けるので、見本展示部を大きく改造したり設計変更したりする必要がなく、簡便である。さらに、商品見本を取り外すことによって空いたスペースにホルダーを設け、ホルダーによって着脱自在に保持された状態でモニターを取り付けるので、モニターが不要になった際には元の状態に迅速に戻すことができ、この点でも実用性が高い。
また、請求項２記載の考案によれば、上記効果に加え、取り外される商品見本の数は、保持可能数からカラムの数を引いた数以下であるので、見本展示される銘柄数は減少せず、販売上は何ら問題がないという効果が得られる。
また、請求項３記載の考案によれば、上記効果に加え、見本保持部における商品見本の保持用の部位がホルダーによって覆われて視認されないので、商品見本を取り外したことにより見栄えが悪くなるという問題が回避される。
また、請求項４記載の考案によれば、上記効果に加え、ホルダーの位置が固定されるので、前面扉の開閉等の際にホルダーがずれてしまってモニターの位置が変わってしまう問題がない。そして、ホルダーの位置の固定は、商品見本の保持構造を利用しているので、ホルダーの着脱が容易であり、ホルダーを取り外した後に商品見本の保持状態に戻すが容易に行える。
また、請求項５記載の考案によれば、上記効果に加え、ホルダーの位置が固定されるので、前面扉の開閉等の際にホルダーがずれてしまってモニターの位置が変わってしまう問題がない。そして、ホルダーの位置の固定は、ラベルの保持構造を利用しているので、ホルダーの着脱が容易であり、ホルダーを取り外した後にラベルの保持状態に戻すが容易に行える。
また、請求項６記載の考案によれば、上記効果に加え、モニターのケーブルが棚板部の下側の空間を通って延びる構造であるので、商品見本の背後に位置する部材に孔を開ける必要がなく、この点で見栄えが悪くならない。
また、請求項７記載の考案によれば、上記効果に加え、ホルダーが見本保持部に対して着脱自在に装着されているので、ホルダーを商品見本の保持に兼用できるものにしておく必要はなく、また商品見本の保持状態に戻した際にホルダーが視認されるために見栄えが悪くなってしまうという問題がない。